(57)【要約】【課題】所有物の存在場所を知らせるための発光を目立ちやすくし、受信器の取付対象に制限を受けにくい所有物報知装置を提供する。【解決手段】所有物報知装置１０は、携帯電話機の電波を受信する受信器２０にフレキシブルバンド３０が取り付けられる。フレキシブルバンド３０のバンド面には、エレクトロルミネセンスシート（面状発光手段）が設けられる。受信器２０が携帯電話機の電波を受信すると、フレキシブルバンド３０のバンド面でエレクトロルミネセンスシートが発光する。受信器２０に防水ケースを設け、かつ、フレキシブルバンド３０にエレクトロルミネセンスシートを被覆する透明質の防水カバーを設けるとよい。【選択図】図１
2004112831.tif 000002
【特許請求の範囲】
【請求項１】
　携帯電話機の電波を受信器で受信するとともに、この電波の受信時に発光手段により所有物の存在場所を知らせる所有物報知装置であって、
　前記受信器は、フレキシブルバンドにより所有物に取り付けられるものであり、かつ、前記発光手段は、前記フレキシブルバンドのバンド面に光源を有する面状発光手段であることを特徴とする所有物報知装置。
【請求項２】
　前記面状発光手段がエレクトロルミネセンスシートである、請求項1記載の所有物報知装置。
【請求項３】
　前記受信器は、前記受信器内への浸水を防止する防水ケースを有し、かつ、前記フレキシブルバンドは、前記面状発光手段を被覆する透明質の防水カバーを有する、請求項１または２記載の所有物報知装置。
【請求項４】
　前記受信器の内部に、断熱性を有するクッション材が充填される、請求項１、２または３記載の所有物報知装置。
【請求項５】
　前記フレキシブルバンドは、バンド面の表側および裏側に前記エレクトロルミネセンスシートが設けられる、請求項２、３または４記載の所有物報知装置。
【請求項６】
　前記フレキシブルバンドは、バンド長さ方向に所定のピッチを保って前記エレクトロルミネセンスシートが螺旋状または環状に巻かれる、請求項２、３または４記載の所有物報知装置。
【請求項７】
　前記面状発光手段の発光時に前記フレキシブルバンドを振動させる振動モータを有する、請求項１、２、３、４、５または６記載の所有物報知装置。
【請求項８】
　前記フレキシブルバンドを取り付けるための取付具にロック機構を設けるとともに、前記フレキシブルバンドの内部に高強度材料からなる芯材を設ける、請求項１、２、３、４、５、６または７記載の所有物報知装置。
【発明の詳細な説明】
【技術分野】
【０００１】
　本発明は、例えば自転車等の所有物の置き場所を持ち主に知らせる所有物報知装置に関するものである。
【背景技術】
【０００２】
　駐輪場などに自転車を止める場合、自己の自転車が他人の自転車に紛れて見つけにくくなることがある。
　従来、このような不便を解消するために、所有物の存在場所を持ち主に知らせる所有物報知装置が提案されている。例えば特許文献１に開示されるように、所有物報知装置は、携帯電話機の電波を受信する受信器に発光ダイオード等の発光手段が設けられる。受信器をあらかじめ自転車等の所有物に取り付けておき、所有物の場所が分からなくなったときに、携帯電話機から受信器に電波を送る。受信器が電波を受信すると、発光手段が発光し、持ち主に所有物の存在場所を知らせる。
【０００３】
【特許文献１】特開２０００−２６９８７８号公報
【発明の開示】
【発明が解決しようとする課題】
【０００４】
　しかしながら、このような従来の所有物報知装置では、受信器からの発光が目立ちにくいため、持ち主が所有物の場所に気付きにくい。このため、持ち主が所有物の近くにいても、所有物の場所を知るのに苦労することがある。
　また、従来の所有物報知装置は、所有物に受信器を取り付けるための取付具が専用金具等であるため、受信器の取付対象が制限されやすく、使用範囲が狭くなりやすい。
【０００５】
　本発明は、このような現状に鑑みなされたもので、所有物の存在場所を知らせるための発光を目立ちやすくし、しかも、受信器の取付対象に制限を受けにくい所有物報知装置を提供することを目的としている。
【課題を解決するための手段】
【０００６】
［第１発明］
　前記課題を解決するための本発明（第１発明）による所有物報知装置は、携帯電話機の電波を受信器で受信するとともに、この電波の受信時に発光手段により所有物の存在場所を知らせる所有物報知装置であって、
　前記受信器は、フレキシブルバンドにより所有物に取り付けられるものであり、かつ、前記発光手段は、前記フレキシブルバンドのバンド面に設けられるエレクトロルミネセンスシート（以下、ＥＬシートという。）であることを特徴としている。
【０００７】
　本発明（第１発明）による所有物報知装置によれば、所有物にフレキシブルバンドにより受信器を取り付けるため、取付可能な対象品が制限されにくい。例えば自転車に受信器を取り付ける場合には、駐輪場所の状況に応じてハンドル、フレーム、タイヤ等の最適な位置を選ぶことができる。
　また、所有物の存在場所を持ち主に知らせる場合、ＥＬシートが面状発光するため、目立ち易さが大幅に向上する。これにより、持ち主がＥＬシートの光を探すことで所有物を素早く見つけることができる。
　なお、ＥＬシートとは、高誘電率バインダー中に分散した蛍光体に、交流電圧をかけることにより発光する面発光部材である。シート厚０.５ｍｍ以下で、ムラのない均一な面状発光を実現し、豊富な発光色（白、赤、青、緑など）を選択することができる。低消費電力で発熱が少ない、柔軟性および加工性が良好である等の優れた性質を有する。
【０００８】
　さらに、所有物に受信器を取り付ける際に、フレキシブルバンドとともにＥＬシートを曲面状に変形させることで、ＥＬシートの発光が広範囲の角度から見えるようになり、持ち主に所有物の存在場所をより確実に知らせることができる。
　さらに、ＥＬシートの面状発光が視覚的な美観を高める効果を発揮するため、受信器およびフレキシブルバンドを装飾品として身につけることも可能になる。
【０００９】
［第２発明］
　本発明（第２発明）は、前記所有物報知装置において、前記受信器が、前記受信器内への浸水を防止する防水ケースを有し、かつ、前記フレキシブルバンドが、前記エレクトロルミネセンスシートを被覆する透明質の防水カバーを有することを特徴としている。
【００１０】
　本発明(第２発明）によれば、受信器およびフレキシブルバンドが防水性を有するため、屋外でも所有物報知装置を安心して使用することができる。例えば、雨天時に自転車を屋外駐輪場に放置しておくような場合でも、ＥＬシートの発光により自転車の存在場所を持ち主に知らせることができる。
【００１１】
［第３発明］
　本発明（第３発明）は、前記所有物報知装置において、前記受信器の内部に、断熱性を有するクッション材が充填されることを特徴としている。
【００１２】
　本発明（第３発明）によれば、受信器の内部に断熱性を有するクッション材が充填されるため、受信回路等の電子部品を保護することができ、雪山などの寒冷地でも所有物報知装置を使用することが可能になる。例えば、スキー場でスキー板やスノーボードを店舗の外に置いて休憩した後にこれらの置き場所が分からなくなることがあるが、あらかじめ自己のスキー板やスノーボードに受信器を取り付けておくことで、ＥＬシートの発光でこれらの置き場所を簡単に見つけることができ、探す手間が軽減される。また、スキー板やスノーボードのビンディング等に受信器を付けたままで滑走しても、クッション材の衝撃吸収効果により受信器が壊れにくくなる。
【００１３】
［第４発明］
　本発明（第４発明）は、前記所有物報知装置において、前記フレキシブルバンドには、バンド面の表側および裏側に前記ＥＬシートが設けられることを特徴としている。
【００１４】
　本発明（第４発明）によれば、フレキシブルバンドのバンド面の両側にＥＬシートが設けられるため、所有物を探すときにその持ち主から見てフレキシブルバンドの片側（片面）が隠れても、反対側のバンド面でＥＬシートの発光を見ることができる。これにより、ＥＬシートの視認性が向上し、所有物の存在場所をより確実に持ち主に知らせることができる。
【００１５】
［第５発明］
　本発明（第５発明）は、前記所有物報知装置において、前記エレクトロルミネセンスシートは、前記フレキシブルバンドのバンド長さ方向に所定のピッチを保って螺旋状または環状に巻かれることを特徴としている。
【００１６】
　本発明（第５発明）によれば、ＥＬシートがフレキシブルバンドの周囲に螺旋状または環状の光を放つため、その発光部が縞模様になって視覚的効果を高めることができる。また、ＥＬシートの螺旋面または環状面（筒面）の周囲で発光部の視認性がバランスよく確保されるため、所有物の存在場所を見つけやすくなる。
　なお、従来より、ＥＬシートには、筒状に曲げると発光時に微弱音を発するという特性が知られている。本発明（第５発明）では、ＥＬシートを筒状に曲げることにより、ＥＬシートの発光時に微弱音を発生させ、この音によって所有物の存在場所を知らせることもできる。
【００１７】
［第６発明］
　本発明（第６発明）による所有物報知装置は、前記ＥＬシートの発光時に前記フレキシブルバンドを振動させる振動モータを有することを特徴としている。
【００１８】
　本発明（第６発明）によれば、ＥＬシートが発光する際、振動モータがフレキシブルバンドに振動を伝達することから、ＥＬシートの発光が小刻みに揺れて見える。これにより、ＥＬシートの発光がさらに目立ちやすくなり、所有物を見つけやすくなる。また、振動モータの振動音によって所有物の存在場所を持ち主に知らせることもできる。
【００１９】
［第１〜６発明］
　本発明（第１〜６発明）の所有物報知装置は、自転車、スキー板、スノーボード等に適用することが考えられるが、対象物はこれらに限られることはなく、例えば、旅行鞄、ゴルフバッグ等のその他の所有物に本発明（第１〜６発明）の所有物報知装置を適用してもよい。
　また、本発明（第１〜６発明）において、発光手段としてＥＬシートに代えて面状発光手段を用いることもできる。すなわち、フレキシブルバンドのバンド面を光源により面状発光させるものであれば、本発明の目的を達成しうる。このような面状発光手段としては、例えば、蛍光塗料を塗布したフレキシブルな帯状反射板に、ＬＥＤなどの光源を所定間隔で取り付けて、この帯状反射板に光源の光を反射させるようにしたものが挙げられる。
　さらに、本発明（第１〜６発明）において、フレキシブルバンドに盗難防止のためのチェーンロック機能を持たせてもよい。すなわち、前記フレキシブルバンドを取り付けるための取付具にロック機構を設けるとともに、前記フレキシブルバンドの内部に高強度材料からなる芯材を設けてもよい。
　本発明（第１〜６発明）は、必要に応じて単独で適用してもよいし、各発明を組み合わせて適用してもよい。また、本明細書に記載される他の発明を組み合わせてもよい。
【発明を実施するための最良の形態】
【００２０】
　以下、本発明の実施の形態を図面に基づいて説明する。
［第１実施形態］
　本発明の第１実施形態の所有物報知装置を図１〜図６に示す。
　図１に示すように、所有物報知装置１０は、腕時計型の受信器２０およびフレキシブルバンド３０を備えている。受信器２０の両側にバンド片３１、３２が延びており、これらの先端部に面ファスナ３３ａ、３３ｂが設けられる。受信器２０を所有物に取り付けるときには、バンド片３１、３２を所有物の適当な箇所に巻いて面ファスナ３３ａ、３３ｂで止める。
【００２１】
　図２および図３に示すように、受信器２０は、分割式の防水ケース２１および２２内に受信器本体４０が収納されている（図３参照）。防水ケース２１および２２は、ヒンジ２３より開閉自在になっている。
　防水ケース２１の上面には、携帯電話機の信号を受信するためのアンテナ２５（ループアンテナ等）が設けられる（図２参照）。アンテナ２５のアンテナ端子が受信器本体４０の入力端子に接続される。
【００２２】
　防水ケース２１および２２の開口端部には、Ｏリング２６が固定される（図３参照）。防水ケース２１および２２を閉じると、これらのケース端部でＯリング２６を挟んでケース内の防水性を保つ。
【００２３】
　防水ケース２１および２２の内部には、発泡材料（発泡ポリプロピレン等）からなる断熱クッション材２７が充填される。受信器本体４０の周囲を断熱クッション材２７で覆うことで、防水ケース内の断熱性を確保している。この結果、スキー場などの雪山で受信器２０を使用しても、動作の信頼性が損なわれにくい。
【００２４】
　図４に示すように、フレキシブルバンド３０は、バンド片３１、３２の先端部であって、互いに向き合う面に面ファスナ３３ａ、３３ｂが固定されている。これらの面ファスナ３３ａ、３３ｂを重ねて押さえると、バンド片３１、３２が環状に繋がる。面ファスナ３３ａ、３３ｂの重ね位置をズラすことで、フレキシブルバンド３０の長さ調節を行うことも可能である。
【００２５】
　バンド片３１、３２の断面を図５に示した。
　図５に示すように、バンド片３１、３２は、帯状の芯材３６の表裏両面にＥＬシート３７ａ、３７ｂが貼り合わせて構成されている。ＥＬシート３７ａ、３７ｂに通電すると、シート内部の蛍光物質 (硫化亜鉛など)が励起され、シート表面で面状発光を行う。すなわち、バンド片３１、３２の表面と裏面でＥＬシート３７ａ、３７ｂがそれぞれ同時に面状の光を放つようになっている。
【００２６】
　芯材３６は、高強度のフレキシブル材料（ナイロンなど）からなるもので、ＥＬシート３７ａ、３７ｂが引っ張られたり、折り曲げられて端子部等が破損するのを防止する。また、芯材３６は、ＥＬシート３７ａと３７ｂとの間の絶縁状態を保つ役割も果たす。
【００２７】
　バンド片３１、３２の表面には、防水カバー３８が設けられている。防水カバー３８は、芯材３６およびＥＬシート３７ａ、３７ｂを透明な樹脂材料で被覆することで形成される。バンド片３１、３２に水が触れても、防水カバー３８で遮断されるため、ＥＬシート３７ａ、３７ｂの周囲に浸水することはなく、腐蝕等による損傷が防止される。また、防水カバー３８が透明材料で形成されるため、ＥＬシート３７ａ、３７ｂの発光が防水カバー３８に遮られることはない。
【００２８】
　図６に示すように、受信器本体４０は、受信部４１、通報信号発生部４２、パターン設定部４３、および通報部４４からなる。
　受信部４１は、携帯電話機の送信周波数に同調する同調回路４１ａと、携帯電話機の送信信号を検波して検波信号を発生する検波回路４１ｂとを備える。同調回路４１ａには、携帯電話機で採用される各種の送信周波数（８００ＭＨｚ、１．５ＧＨｚ、１．９ＧＨｚなど）を切り替える切替スイッチ４１ｃが設けられる。所有物報知装置１０の使用者は、あらかじめ自己の携帯電話機の送信周波数に合わせて切替スイッチ４１ｃを設定しておく。
【００２９】
　通報信号発生部４２は、検波回路４１ｂから検波信号に基づいて所定のパターンの通報信号を発生する。
　通報パターン設定部４３は、複数のスイッチ（図示省略）を有し、これらのスイッチの設定状態によって通報信号発生部４２の動作条件、すなわち通報信号のパターンを切り替える。通報信号のパターンとしては、例えば波形、周波数、連続性（連続信号または断続信号）等を選択することができる。
【００３０】
　通報部４４は、通報信号発生部４２の通報信号を受けて動作するスイッチ４４ａと、バッテリ（図示省略）からの入力電圧を所定周波数の交流電圧に変換するインバータ４４ｂを備えている。インバータ４４ｂからＥＬシート３１、３２に電流が流れると、通報信号発生部４２の通報信号パターンに従ってＥＬシート３７ａ、３７ｂが点灯または点滅による発光を行う。
【００３１】
　次に、所有物報知装置１０の使用方法について説明する。
　例えば駐輪場で自転車を止める場合、駐輪場から離れる前に自己の自転車に受信器２０を取り付ける。受信器２０の取り付けは、自転車のハンドルやフレームなどの見えやすい位置にフレキシブルバンド３０を巻いて面ファスナ３３ａ、３３ｂで止める。
【００３２】
　駐輪場に戻って自己の自転車を探す場合には、携帯電話機で特定の番号に電話をかけ、受信器２０に電波を送る。受信器２０が携帯電話機の電波を受信すると、フレキシブルバンド３０のバンド面でＥＬシート３７ａ、３７ｂが所定のパターンで発光し、持ち主に自転車の存在場所を知らせる。
【００３３】
　所有物報知装置１０によれば、ＥＬシート３７ａ、３７ｂが自転車のハンドルやフレームに巻かれた状態でにより面状発光するため、自転車の周囲で持ち主の目に留まりやすい。しかも、フレキシブルバンド３０の両面でＥＬシート３７ａ、３７ｂが光を放つので、発光面積が大きくなり、自転車からある程度離れた位置からでも、持ち主がその発光を簡単に見つけることができる。
　また、フレキシブルバンド３０により受信器２０の取付けおよび取外しを行うため、取付対象の制限を受けにくい。例えば、携帯電話機からの電波が受信しやすく、ＥＬシート３７ａ、３７ｂの発光が見えやすい位置を選択的に選んで受信器２０をセットすることも可能になる。
　さらに、フレキシブルバンド３０が蛍光色で面状発光するため、視覚的な装飾効果も得ることができる。
【００３４】
　その他の所有物報知装置１０の使用方法としては、スキー場でスキー板やスノーボードに受信器２０を取り付けてもよい。例えば、スキー板やスノーボードを外して休憩する際に、これらの適当な位置にフレキシブルバンド３０を巻いて受信器２０を取り付ける。休憩後に、スキー板やスノーボードを探すときには、前述したのと同様に携帯電話機で受信器２０に電波を送り、ＥＬシート３７ａ、３７ｂを発光させると、これらの存在場所を直ぐに見つけることができる。
　このように雪山などの過酷な状況下であっても、受信器２０およびフレキシブルバンド３０が防水および防寒機能を備えているため、所有物報知装置１０を安心して使用することができる。
【００３５】
［第２実施形態］
　本発明の第２実施形態を図７に示す。
　第２実施形態の所有物報知装置５０は、フレキシブルバンド３０に振動モータ５１を取り付けたものである。
　図７に示すように、所有物報知装置５０は、受信器２０のケース内にフレキシブルバンド３０の芯材３６が貫通しており、この芯材３６上に振動モータ５１が固定される。受信器２０のほぼ中央に来るように振動モータ５１が配置されている。
　振動モータ５１は、受信器本体の出力端子に接続されており、バッテリから電流が流れると、所定の振動数で振動するようになっている。
　なお、第２実施形態において、前記第１実施形態と実質的に同一の構成部分には同一の符号を付している。
【００３６】
　第２実施形態の所有物報知装置５０によれば、受信器２０が携帯電話機の信号を受信すると、ＥＬシート３７ａ、３７ｂの発光と同時に振動モータ５１が芯材３６を介してＥＬシート３７ａ、３７ｂを振動させる。すなわち、ＥＬシート３７ａ、３７ｂの発光と振動モータ５１の振動が同時に一定パターンで行われることになる。これにより、ＥＬシート３７ａ、３７ｂの発光が目立ちやすく、所有物の存在場所をより簡単に知らせやすくなる。
　さらに、フレキシブルバンド３０および受信器２０が振動音を発生するため、この振動音によっても所有物の存在場所を持ち主に知らせることができる。
【００３７】
［第３実施形態］
　本発明の第３実施形態を図８および図９に示す。
　第３実施形態の所有物報知装置６０は、フレキシブルバンド６２、６３にＥＬシート６７を螺旋状に設けたものである。
　図８に示すように、所有物報知装置６０は、円筒形の受信器６１にフレキシブルバンド（バンド片）６２、６３が取り付けられる。フレキシブルバンド６２、６３の先端部には、マグネット製の止め具６４ａ、６４ｂが固定される。止め具６４ａ、６４ｂを近づけると、磁力によって止め具６４ａ、６４ｂの端面が吸着し、フレキシブルバンド６２、６３が環状に連結されるようになっている。
【００３８】
　フレキシブルバンド６２、６３は、図９に示すように、円形断面の芯材６６に帯状のＥＬシート６７が一定ピッチを保って螺旋状に巻かれている。芯材６６およびＥＬシート６７を覆うように透明樹脂材料からなる防水カバー６８が設けられている。
【００３９】
　第３実施形態によれば、フレキシブルバンド６２、６３のバンド面にＥＬシート６７が螺旋状に巻かれるため、縞模様で変化に富んだ目立ちやすい光を放つことができる。また、フレキシブルバンド６２、６３に十分な厚み（太さ）が確保されるため、バンドの上下左右いずれの方向からでも、ＥＬシート６７の発光が見えやすい。これにより、さらに、所有物を探しやすくなる。
　また、フレキシブルバンド６２の発光時の装飾性が向上するため、装飾品としての付加価値を高めることもできる。
【００４０】
［第４実施形態］
　本発明の第４実施形態を図１０に示す。
　第４実施形態の所有物報知装置７０は、止め具７４ａ、７４ｂにロック機構を設けたものである。受信器７１は、前記第１実施形態の受信器６１、また、フレキシブルバンド７２、７３は、前記第３実施形態のフレキシブルバンド６２、６３と実質的に同一の構成である。
　フレキシブルバンド７２、７３の芯材は、金属ワイヤー等の切断されにくい高強度材料で形成され、これらのバンド７２、７３を一本に繋ぐ。バンド７２、７３の中間部には環状の取付具７１ａ、７１ｂで受信器７１が固定される。そして、フレキシブルバンド７２、７３の先端には、止め具７４ａ、７４ｂが強固に固定されている。
【００４１】
　止め具７４ａは、かんぬき部材７５を有しており、このかんぬき部材７５が止め具７４ｂの鍵穴（図示省略）に嵌まる。ダイアル輪７６を適当な数字に切り替えることで、かんぬき部材７５が鍵穴から外れないようにロックされる。かんぬき部材７５を鍵穴に通してロックすることで、フレキシブルバンド７２、７３が環状に連結されることになる。
　一方、止め具７４ｂのダイアル輪７６を所定の数字に合わせると、かんぬき部材７５が鍵穴から開放され、止め具７４ａ、７４ｂのロックが解かれる。
【００４２】
　第４実施形態によれば、フレキシブルバンド７２、７３がチェーンロック機構を有するため、所有物報知装置７０の盗難予防に役立つ。また、建物などの固定構造物にフレキシブルバンド７２、７３で所有物をくくりつけて、止め具７４ａ、７４ｂをロックすることで、所有物そのものを盗難から未然に防止することもできる。すなわち、所有物報知装置７０に、発光報知機能の他に、チェーンロック機能を付加することが可能になる。
【００４３】
［他の実施形態］
　前記第１〜３実施形態を説明したが、本発明の実施形態はこれらに限られることなく、種々の変更を加えてもよい。例えば、前記第１実施形態では、フレキシブルバンドの両面にＥＬシートを設けているが、これらは、一方のバンド面だけにしてもよい。また、フレキシブルバンドを止めるための止め具については、面ファスナやマグネットの他、フックやベルト金具等の他の手段を採用してもよい。
【００４４】
　また、第３および第４実施形態では、芯材にＥＬシートを螺旋状に巻いているが、これらの変形例として、芯材の外周面にＥＬシートを環状（筒状）に巻いて、これらを芯材の長さ方向に所定間隔で配置するようにしてもよい。この場合、各ＥＬシートが筒形に曲げられるため、その特性上、ＥＬシートの発光時に共鳴・共振音が発生し、この音によっても持ち主の注意を惹かせることができる。
【００４５】
　また、携帯電話機の電波を受信器で同調させる構成については、受信器にページャー機能をもたせてもよい。すなわち、受信器に特定の電話番号を割り当てて、携帯電話から呼び出し信号によりＥＬシートを発光させる構成としてもよい。また、特定のメールアドレスを受信器に割り当てて、携帯電話機からのメール受信時にＥＬシートを発光させる構成にしてもよい。
　さらに、持ち主に場所を知らせるためのその他の報知手段として、スピーカやＬＥＤ等を受信器に追加する構成としてもよい。
【図面の簡単な説明】
【００４６】
【図１】本発明の第１実施形態による所有物報知装置を示す斜視図である。
【図２】本発明の第１実施形態による受信器を示す斜視図である。
【図３】本発明の第１実施形態による受信器を示す断面図である。
【図４】本発明の第１実施形態によるフレキシブルバンドを示す部分側面図である。
【図５】本発明の第１実施形態によるフレキシブルバンドを示す断面図である。
【図６】本発明の第１実施形態による受信器本体の構成を示すブロック図である。
【図７】本発明の第２実施形態による所有物報知装置を示す部分拡大斜視図である。
【図８】本発明の第３実施形態による所有物報知装置を示す斜視図である。
【図９】本発明の第３実施形態による所有物報知装置のフレキシブルバンドを示す部分拡大斜視図である。
【図１０】本発明の第４実施形態による所有物報知装置を示す斜視図である。
【符号の説明】
【００４７】
１０　　所有物報知装置
２０　　受信器
２１，２２　防水ケース
２３　　ヒンジ
２５　　アンテナ
２７　　断熱クッション材
３０　　フレキシブルバンド
３１，３２　バンド片
３３ａ，３３ｂ　面ファスナ
３６　　芯材
３７ａ，３７ｂ　ＥＬシート
３８　　防水カバー
４１　　受信部
４１ａ　同調回路
４１ｂ　検波回路
４１ｃ　切替手段
４２　　通報信号発生部
４３　　通報パターン設定部
４４　　通報部
４４ａ　スイッチ
４４ｂ　インバータ
５１　　振動モータ
【図１】
2004112831.tif 000003
【図２】
2004112831.tif 000004
【図３】
2004112831.tif 000005
【図４】
2004112831.tif 000006
【図５】
2004112831.tif 000007
【図６】
2004112831.tif 000008
【図７】
2004112831.tif 000009
【図８】
2004112831.tif 000010
【図９】
2004112831.tif 000011
【図１０】
2004112831.tif 000012